(57)【要約】【課題】インターネットを介してコンテンツ提供者と顧客とを結び、コンテンツ提供者はコンテンツを提供し、顧客は感想や意見等のコメント情報と自分の属性情報を提供し、それらの情報量の差を金銭に換算するものである。【解決手段】顧客端末４でウエブサーバー２のウエブサイト上に提示されたコンテンツを参照して顧客の属性情報又はコメント情報をウエブサーバー２に送付すると、該ウエブサーバー２は属性情報又はコメント情報をメーカー端末１とデータベースサーバー３に送付すると共に、顧客の属性情報又はコメント情報に対する情報提供料を設定してコンテンツ管理・課金・集金サーバー５に送付し、該コンテンツ管理・課金・集金サーバー５が顧客端末４に該コンテンツの利用料から情報提供料を引いた課金情報を通知し、顧客端末４が課金支払通知をコンテンツ管理・課金・集金サーバー５に通知するようにしたものである。【選択図】        図１
2004252575.tif 000002
【特許請求の範囲】
【請求項１】
コンテンツメーカーが作成したコンテンツと該コンテンツの利用料を含むコンテンツ情報を送付する複数のメーカー端末と、顧客がコンテンツ情報を取得し、顧客の属性情報又はコンテンツに対するコメント情報を送付する複数の顧客端末と、顧客の属性情報又はコメント情報を取得して格納し、格納した属性情報又はコメント情報を送付するデータベースサーバーと、各コンテンツメーカーが作成したコンテンツをそれぞれ蓄積すると共にコンテンツ利用料の課金情報を蓄積し、顧客がコンテンツ情報を取得したときに、顧客端末に対して課金を通知し、支払通知を受けるコンテンツ管理・課金・集金サーバーと、コンテンツの提供を受けてコンテンツをウエブサイト上に提示するウエブサーバーと、メーカー端末、顧客端末、データベースサーバー、コンテンツ管理・課金・集金サーバー及びウエブサーバーが情報伝達網を介して互いに接続されてなるコンテンツ流通システムであって、
前記顧客端末で前記ウエブサイト上に提示されたコンテンツを参照して顧客の属性情報又はコメント情報を前記ウエブサーバーに送付すると、該ウエブサーバーは属性情報又はコメント情報を前記メーカー端末と前記データベースサーバーに送付すると共に、顧客の属性情報又はコメント情報に対する情報提供料を設定して前記コンテンツ管理・課金・集金サーバーに送付し、該コンテンツ管理・課金・集金サーバーが前記顧客端末に該コンテンツの利用料から情報提供料を引いた課金情報を通知し、該顧客端末が課金支払い通知を前記コンテンツ管理・課金・集金サーバーに通知するようにしたことを特徴とするコンテンツ流通システム。
【請求項２】
前記顧客端末は自分が作成したコンテンツと該コンテンツの利用料を含むコンテンツ情報を前記コンテンツ管理・課金・集金サーバーに送付し、前記メーカー端末で前記ウエブサイト上に提示されたコンテンツを参照したときには該コンテンツ管理・課金・集金サーバーが前記メーカー端末に該コンテンツの利用料の課金情報を通知し、該メーカー端末が課金支払通知を前記コンテンツ管理・課金・集金サーバーに通知するようにしたことを特徴とする請求項１記載のコンテンツ流通システム。
【請求項３】
前記顧客端末から送付された顧客の属性情報は前記ウエブサーバーを介して前記データベースサーバーに蓄積され、該顧客の属性情報を整理して前記メーカー端末にフィードバックされたとき、前記コンテンツ管理・課金・集金サーバーは整理された属性情報の提供料の課金情報を前記メーカー端末に通知することを特徴とする請求項１記載のコンテンツ流通システム。
【請求項４】
前記顧客端末から送付されたコメント情報は前記ウエブサーバーを介して前記データベースサーバーに蓄積され、該コメント情報を整理して前記メーカー端末にフィードバックされたとき、前記コンテンツ管理・課金・集金サーバーは整理されたコメント情報の提供料の課金情報を前記メーカー端末に通知することを特徴とする請求項１記載のコンテンツ流通システム。
【請求項５】
前記データベースサーバーは編集情報を格納した編集データベースを有し、前記顧客端末又はメーカー端末で前記ウエブサイト上に提示されたコンテンツを参照したときに、編集データベースから取り出した編集情報により該コンテンツを編集することができることを特徴とする請求項１又は２のいずれかに記載のコンテンツ流通システム。
【請求項６】
前記データベースサーバーの編集データベースに格納されている編集情報は、コンテンツ自体は加工せず編集する編集機能を有するものであることを特徴とする請求項５記載のコンテンツ流通システム。
【発明の詳細な説明】
【０００１】
【発明の属する技術分野】
本発明は、インターネットを介してコンテンツ提供者と顧客とを結び、コンテンツ提供者は映像などのコンテンツを提供し、顧客は感想や意見等のコメント情報と自分の属性情報を提供し、それらの情報量の差を金銭に換算するコンテンツ流通システムに関するものである。
【０００２】
【従来の技術】
従来のコンテンツ流通システムは、コンテンツの利用に対して課金を行ってコンテンツ販売者の負担を軽減するもので、コンテンツを提供するコンテンツ作成者端末と、提供されたコンテンツを配付する販売店端末とのそれぞれで設定された著作権料および販売手数料を課金センタに登録し、登録された情報に基づいて課金センタの販売価格演算部においてコンテンツの利用料を算出するようにすることにより、コンテンツ作成者や販売者は、流通過程で他者が設定した料金などは一切考慮することなく、自己の料金だけを単純に決定して登録すれば良くなるとともに、支払われた料金の分配処理も行わなくて済むようにしている（例えば、特許文献１参照。）。
【０００３】
また、コンテンツ販売システムは、コンテンツの試用を有料で行うようにして、コンテンツの販売を促進できるようにするとともに、コンテンツが使用された場合には料金を確実に徴収できるようにするもので、通信回線を介してコンテンツ提供端末から購入者クライアント端末へダウンロードするコンテンツを有料で試用するようにして、利用者にとっては良く確認してからコンテンツを購入することを可能とし、コンテンツ提供者にとってはコンテンツの拡販を行い易くすることにより、利用者とコンテンツ提供者の両方に利点が得られるコンテンツ販売システムを展開できるようにしている（例えば、特許文献２参照。）。
【０００４】
【特許文献１】
特開２００１−００５８７７号公報（第１頁、第１図）
【特許文献２】
特開２００２−２３０４３２号公報（第１頁、第１図）
【０００５】
【発明が解決しようとする課題】
しかしながら、上記特許文献１に記載のコンテンツ流通システムでは、コンテンツ販売に関して、課金システムの負荷を低減し、コンテンツ流通を促進するのに役立つが、それは販売側の視点であって、利用者側からはメリットが感じられない。従って、利用者がこれまでよりも積極的に利用しようとする動機付けにはなりにくいという問題点があった。
また、上記特許文献２に記載のコンテンツ販売システムでは、有料ではあるが試用することができて、利用者側にもメリットは感じられるが、コンテンツメーカーから利用者側への一方向のみであり、インタラクション（相互にコンテンツ等の情報を交換できる）はないという問題点があった。インタラクションがあると、利用者の利用しようというモチベーションがいっそう上がる。
【０００６】
【課題を解決するための手段】
本発明に係るコンテンツ流通システムは、コンテンツメーカーが作成したコンテンツと該コンテンツの利用料を含むコンテンツ情報を送付する複数のメーカー端末と、顧客がコンテンツ情報を取得し、顧客の属性情報又はコンテンツに対するコメント情報を送付する複数の顧客端末と、顧客の属性情報又はコメント情報を取得して格納し、格納した属性情報又はコメント情報を送付するデータベースサーバーと、各コンテンツメーカーが作成したコンテンツをそれぞれ蓄積すると共にコンテンツ利用料の課金情報を蓄積し、顧客がコンテンツ情報を取得したときに、顧客端末に対して課金を通知し、支払通知を受けるコンテンツ管理・課金・集金サーバーと、コンテンツの提供を受けてコンテンツをウエブサイト上に提示するウエブサーバーと、メーカー端末、顧客端末、データベースサーバー、コンテンツ管理・課金・集金サーバー及びウエブサーバーが情報伝達網を介して互いに接続されてなるコンテンツ流通システムであって、前記顧客端末で前記ウエブサイト上に提示されたコンテンツを参照して顧客の属性情報又はコメント情報を前記ウエブサーバーに送付すると、該ウエブサーバーは属性情報又はコメント情報を前記メーカー端末と前記データベースサーバーに送付すると共に、顧客の属性情報又はコメント情報に対する情報提供料を設定して前記コンテンツ管理・課金・集金サーバーに送付し、該コンテンツ管理・課金・集金サーバーが前記顧客端末に該コンテンツの利用料から情報提供料を引いた課金情報を通知し、該顧客端末が課金支払い通知を前記コンテンツ管理・課金・集金サーバーに通知するように構成したものである。
【０００７】
【発明の実施の形態】
実施の形態１．
図１は本発明の実施の形態１のコンテンツ流通システムの概略構成を示すブロック図である。
図１において、１はコンテンツメーカーが使用する複数のメーカー端末である。各コンテンツメーカーは、自分のメーカー端末１にてコンテンツを作成し、そのコンテンツをメーカー端末１より後述のコンテンツ管理・課金・集金サーバーへ送信する。
２は各コンテンツメーカーが作成したコンテンツの提供を受けてコンテンツリストを作成し、コンテンツリストを記憶装置２ａに格納し、コンテンツリストをウエブサイト上に提示するウエブサーバーである。ここで、コンテンツとは映像、音声、文字情報、画像等を指す。
３は顧客の属性情報や顧客がコンテンツを参照した後の感想、意見等のコメント情報等の顧客データが顧客データベース３ａに整理されて格納され、顧客データを配信するデータベースサーバーである。ここで、顧客の属性情報とはマーケティングに役立つ情報で、例えば性別、年齢、職業、居住地、趣味等をいう。
なお、属性情報の価格は性別情報はＯＯ円、年齢情報はＯＯ円というように個々の情報の価格の表を作っておき、それと照合して、ウエブサーバー２が自動的に決める。
【０００８】
また、コメント情報の価格はコメントの長さに応じたテーブルを用意しておき、ウエブサーバー２がウエブサイト上で自動的につけるようにしている。
４はコンテンツの提供を受け、利用するための複数の顧客端末、５は各メーカー端末１から送信されてきたコンテンツをコンテンツ記憶装置５ａに蓄積し、課金情報を課金情報記憶装置５に蓄積し、コンテンツを管理し、コンテンツの利用等に対して課金・集金処理を行うコンテンツ管理・課金・集金サーバー、６は課金に対する決済を行う金融機関端末、７はメーカー端末１，ウエブサーバー２、データベースサーバー３、顧客端末４及びコンテンツ管理・課金・集金サーバー５及び金融機関端末６に接続されているインターネット等の情報伝達網である。
【０００９】
本発明の実施の形態１のコンテンツ流通システムの動作を説明する。
まず、顧客がコンテンツを参照する場合について、図１及び図２のフローチャートに基づいて説明する。
顧客は、顧客端末１を操作してインターネット７を介してウエブサーバー２にアクセスしてコンテンツ流通システムのウエブサイトに到達したら（ステップＳ１）、コンテンツリストを見る（ステップＳ２）。そして、そのコンテンツリストから所望のコンテンツを選択する（ステップＳ３）。なお、選択しない場合はステップＳ２に戻る。
そうすると、ウエブサーバー２はインターネット７を介してコンテンツ管理・課金・集金サーバー５にアクセスし、コンテンツ管理・課金・集金サーバー５はデータベースサーバー３にアクセスし、登録されている顧客かどうかの照合をした後にコンテンツ記憶装置５ａから選択されたコンテンツを読み出し、ウエブサーバー２へコンテンツの配信・受信を行う。
【００１０】
ウエブサーバー２のウエブサイト上には選択したコンテンツが提示され、顧客は顧客端末４でその選択したコンテンツを参照する（ステップＳ４）。ここで、コンテンツの参照とはコンテンツが画像や映像であるときには「見る」という意味であり、コンテンツが音声であるときには「聞く」という意味である。
次に、コンテンツを参照した顧客はコンテンツに対するコメントを書くと（ステップＳ５）、書いたコメントは顧客端末１からウエブサイトサーバー２に送られて記憶装置２ａに記入され（ステップＳ６）、ウエブサーバー２ではコメントの長さに応じた価格が設定されたテーブルよりコメントの長さに応じた情報提供料をつけてコンテンツ管理・課金・集金サーバー５に送る。また、コメントはウエブサイトサーバー２からデータベースサーバー３に送られ、顧客データベースに３ａに書き込まれる。
【００１１】
そして、コンテンツ管理・課金・集金サーバー５では、コンテンツ価格表から選択されたコンテンツの利用料を決定し、コメントがある場合はそのコメントの情報提供料を差し引いた額の課金情報をウエブサーバー２に送り、又コメントがない場合は選択されたコンテンツの利用料の課金情報をウエブサーバー２に送り、顧客がウエブサーバー２のウエブサイト上で課金情報を見て確認する（ステップＳ７）。
課金情報を確認した顧客は顧客端末４から金融機関端末６にアクセスして振り込みを行い、金融機関端末６が振り込み完了の通知を顧客端末４に送り、顧客端末４が課金支払通知をコンテンツ管理・課金・集金サーバー５に送ることによって集金が行われたこととなり、決済が完了する（ステップＳ８）。
【００１２】
次に、コンテンツ流通システムから見た顧客がコンテンツを参照して集金に至る場合について、図１及び図３のフローチャートに基づいて詳細に説明する。
顧客端末１からのウエブサーバー２に対してコンテンツ流通システムのウエブサイトへのアクセスが有れば（ステップＳ１１）、ウエブサーバー２のウエブサイト上にコンテンツリストを表示する（ステップＳ１２）。
そして、顧客が顧客端末１でコンテンツリストから所望のコンテンツを選択したら、そのコンテンツ選択をウエブサーバー２が受信し、コンテンツ選択がなけばコンテンツリストの表示のままとなる（ステップＳ１３）。
【００１３】
このとき、顧客はコンテンツを参照するためには、顧客端末４から少なくとも自己の氏名の属性情報をウエブサーバ２に送らなければならない。これは登録されている顧客かどうかを確認するためである。ウエブサーバ２では、インターネット７を介してコンテンツ管理・課金・集金サーバー５にアクセスし、コンテンツ管理・課金・集金サーバー５はデータベースサーバー３にアクセスし、属性情報に基づいて登録されている顧客かどうかの照合をし、登録されている顧客に間違いないと判断した後にコンテンツ記憶装置５ａから選択されたコンテンツを読み出し、ウエブサーバー２へコンテンツの配信を行い、ウエブサーバー２のウエブサイト上にコンテンツを提示する（ステップＳ１４）。
【００１４】
顧客が顧客端末１で提示されたコンテンツを参照し（ステップＳ１５）、その参照の確認をウエブツサーバー２に送信し、その後にさらに氏名以外の住所、性別、年齢、職業、趣味等の属性情報を送信しなければ（ステップＳ１６）、ウエブサーバー２はその参照の確認をコンテンツ管理・課金・集金サーバー５に送信する。
そうすると、コンテンツ管理・課金・集金サーバー５では、一定期間の間、例えば１月毎に参照の確認を何回受信したかを見て、２回以上でなければ、次のステップに進む（ステップＳ１７）。
また、コンテンツを参照した顧客がコンテンツに対するコメントを書かなければ（ステップＳ１８）、ウエブサーバー２からはコメントの情報提供料に対する情報を受信しないため、コンテンツ管理・課金・集金サーバー５では選択されたコンテンツの利用料の課金情報をウエブサーバー２に送り、顧客は顧客端末１でウエブサーバー２のウエブサイト上の課金情報を見て課金されたことを知る（ステップＳ１９）。
【００１５】
また、コンテンツを参照した顧客がコンテンツに対するコメントを書くと（ステップＳ１８）、書いたコメントは顧客端末１からウエブサーバー２に送られて記憶装置２ａに記入され、ウエブサーバー２ではコメントの長さに応じた価格が設定されたテーブルよりコメントの長さに応じた情報提供料をつけてコンテンツ管理・課金・集金サーバー５に送る（ステップＳ２０）。また、コメントはウエブサイトサーバー２からデータベースサーバー３に送られ、顧客データベースに３ａに書き込まれる。また、そのコメントはメーカー端末１に送られる。
そして、コンテンツ管理・課金・集金サーバー５では、コンテンツの利用料からコメントの情報提供料を差し引くという課金計測を行い（ステップＳ２１）、課金計測した額の差し引いた額の課金情報をウエブサーバー２に送り、顧客がウエブサーバー２のウエブサイト上で課金情報を見て課金されたことを知る（ステップＳ１９）。
【００１６】
なお、ステップＳ１５で、顧客が顧客端末１に提示されたコンテンツを参照し、その参照の確認をウエブサーバー２に送信した後に、さらに氏名以外の住所、性別、年齢、職業、趣味等の属性情報をウエブサーバ２に送信した場合には、ウエブサーバー２は参照の確認と共に、属性情報の内容に応じた価格が設定されたテーブルにより情報提供料をつけてコンテンツ管理・課金・集金サーバー５に送る。また、属性情報はウエブサーバー２からデータベースサーバー３に送られ、顧客データベースに３ａに書き込まれる。
コンテンツ管理・課金・集金サーバー５ではコンテンツの利用料から属性情報の情報提供料を差し引くという課金計測を行い（ステップＳ２１）、課金計測した額の課金情報をウエブサーバー２に送り、顧客がウエブサーバー２のウエブサイト上で課金情報を見て課金されたことを知る（ステップＳ１９）。
【００１７】
また、ステップＳ１７で、コンテンツ管理・課金・集金サーバー５では、一定期間の間、例えば１月毎に参照の確認を何回受信したかを見て、２回以上の場合で、コンテンツを参照した顧客がコンテンツに対するコメントを書かなければ（ステップＳ２２）、ウエブサーバー２からはコメントの情報提供料に対する情報を受信しないため、コンテンツ管理・課金・集金サーバー５では参照されたコンテンツの回数とコンテンツの種類に応じたコンテンツの利用料の課金計測を行い（ステップＳ２３）、課金計測した額の課金情報をウエブサーバー２に送り、顧客がウエブサーバー２のウエブサイト上で課金情報を見て課金されたことを知る（ステップＳ１９）。
【００１８】
また、コンテンツを参照した顧客がコンテンツに対するコメントを書くと（ステップＳ２２）、書いたコメントは顧客端末１からウエブサーバー２に送られて記憶装置２ａに記入され、ウエブサーバー２ではコメントの長さに応じた価格が設定されたテーブルよりコメントの長さに応じた情報提供料をつけてコンテンツ管理・課金・集金サーバー５に送る（ステップＳ２３）。また、コメントはウエブサイトサーバー２からデータベースサーバー３に送られ、顧客データベースに３ａに書き込まれる。
そして、コンテンツ管理・課金・集金サーバー５では、前記コンテンツの利用料からコメントの情報提供料を差し引くという課金計測を行い（ステップＳ２４）、課金計測した額の差し引いた額の課金情報をウエブサーバー２に送り、顧客がウエブサーバー２のウエブサイト上で課金情報を見て課金されたことを知る（ステップＳ１９）。
【００１９】
なお、顧客が顧客端末１に提示されたコンテンツを参照し、その参照の確認をウエブサーバー２に送信した後に、さらに氏名以外の住所、性別、年齢、職業、趣味等の属性情報をウエブサーバー２に送信した場合には、ウエブサーバー２は参照の確認と共に、属性情報の内容に応じた価格が設定されたテーブルにより情報提供料をつけてコンテンツ管理・課金・集金サーバー５に送り、コンテンツ管理・課金・集金サーバー５ではコンテンツの利用料から属性情報の情報提供料を差し引くという課金計測を行い（ステップＳ２４）、課金計測した額の課金情報をウエブサーバー２に送り、顧客がウエブサーバー２のウエブサイト上で課金情報を見て課金されたことを知る（ステップＳ１９）。
【００２０】
課金を知った顧客は顧客端末４から金融機関端末６にアクセスして振り込みを行い、金融機関端末６が振り込み完了の通知を顧客端末４に送り、顧客端末４が課員支払通知をコンテンツ管理・課金・集金サーバー５に送ることによって集金が行われたこととなる（ステップＳ２５）。
コンテンツ管理・課金・集金サーバー５に集金されたお金は後日、提供したコンテンツが参照された回数に応じてコンテンツメーカーに支払われることとなる。
もし、顧客の提供するコメント情報の価値の方が高ければ、顧客は逆に金銭を得ることができる。どの程度のコメント情報を提供するかは顧客が自由に選択することができる。
【００２１】
また、顧客から得られた顧客の属性情報やコメント情報はデータベースサーバー３の顧客データベース３ａに整理されたうえで蓄積される。そして、その整理された顧客の属性情報やコメント情報はコンテンツメーカーに例えば１ヶ月毎にメールでメーカー端末１にフィードバックされると共に顧客の属性情報やコメント情報の情報提供料の課金情報も通知される。そして、コンテンツメーカーはその対価をコンテンツ管理・課金・集金サーバー５に支払う。
ここにいう属性情報の整理は、例えば顧客の属性の統計的データぐらいの場合は、データベースサーバー３が統計プログラムによって自動的に集計し、整理して顧客データベース３ａに蓄積される。なお、整理された情報の対価はコンテンツ管理・課金・集金サーバー５を運営する人が決めてテーブル化しておく。
【００２２】
その他に、顧客は自分で作成したコンテンツを顧客端末４からインターネット６を介してコンテンツ管理・課金・集金サーバー５に提供し、そのコンテンツリストをウエブサーバー２に表示させ、コンテンツメーカーがメーカー端末１からウエブサーバー２にアクセスし、提供されているコンテンツを参照することもできる。この場合のコンテンツとは、例えば家庭用ビデオで撮影したものをテレビ局に提供するということである。なお、顧客が作成したコンテンツに対して顧客が料金を設定し、コンテンツと共にコンテンツ管理・課金・集金サーバー５に送られる。そして、そのコンテンツを参照したコンテンツメーカーが料金を支払うことになる。また、顧客は提供したコンテンツが参照された回数に応じて、その対価を受け取る。
【００２３】
以上説明したように本発明の第１の実施の形態によれば、顧客端末４でウエブサーバー２のウエブサイト上に提示されたコンテンツを参照して顧客の属性情報又はコメント情報をウエブサーバー２に送付すると、該ウエブサーバー２は属性情報又はコメント情報をメーカー端末１とデータベースサーバー３に送付すると共に、顧客の属性情報又はコメント情報に対する情報提供料を設定してコンテンツ管理・課金・集金サーバー５に送付し、該コンテンツ管理・課金・集金サーバー５が顧客端末４に該コンテンツの利用料から情報提供料を引いた課金情報を通知し、顧客端末４が課金支払通知をコンテンツ管理・課金・集金サーバー５に通知するようにしたので、コンテンツメーカーからコンテンツが供給され、顧客をそれを参照して対価を支払うといった一方向のサービスばかりでなく、顧客からの属性情報やコンテンツに対する感想・意見等のコメント情報をコンテンツメーカーの方に返すという逆のサービスの流れも存在して、自在なコンテンツ流通が実現でき、コンテンツの双方向の流通が促進される。
【００２４】
実施の形態２．
図４は本発明の実施の形態２のコンテンツ流通システムの概略構成を示すブロック図である。
図４の実施の形態２において、図１に示す実施の形態１と同様の構成は同一符号を付して重複した構成の説明を省略する。
この実施の形態２は、編集情報が格納された編集情報データベース３ｂが新たに追加されたもので、データベースサーバー３に接続されている。
ここでいう編集情報とは、例えば映像のノンリニア編集ソフトによくある方法であるが、オリジナルのコンテンツと「全体をぼかす」とか「Ｘ枚面からＹ枚目までカットする」というようなコンテンツ自体は加工せずに編集するという編集機能を有するものである。編集情報により編集した履歴を別に保存しておき、次にそのコンテンツを扱うときはオリジナルのコンテンツと編集情報からこれまでに編集した状態を復元するというものである。これをウエブサイト上で実現しようとするものである。
【００２５】
この実施の形態２では、顧客が顧客端末４からウエブサーバー２にアクセスし、コンテンツリストからコンテンツを選択してコンテンツが提示されている場合に、顧客が顧客端末４からウエブサーバー２を介してデータベースサーバー３の編集情報データベース３ｂに格納されている編集情報を取り出し、提示されているコンテンツを編集情報を用いて編集し、編集したコンテンツを参照するようにしたものである。この場合、顧客に対する課金はコンテンツの利用料の他に、編集情報の使用料が加わることとなる。
このように、もとは同じコンテンツでも編集情報を加えることによって見え方が異なるというものである。
また、編集したコンテンツをそのままコンテンツ管理・課金・集金サーバー５のコンテンツ記憶装置５ａに蓄積するのではなく、もとのコンテンツと編集情報を組み合わせてコンテンツ管理・課金・集金サーバー５のコンテンツ記憶装置５ａに格納することにより、その蓄積量は少なくて済む。
【００２６】
というのは、例えば、ある映像のコンテンツがあって、それをＡという人が編集して取っておくとする。そして、同じ映像をＢという人がＡとは違う編集をして取っておくとします。このように編集された映像を蓄積しておくと膨大なデータになるが、オリジナルの映像＋編集情報という形にすると、オリジナルの映像はＡにもＢにも共通するので、オリジナルの映像＋Ａの編集情報＋Ｂの編集情報となり、もともとのオリジナルの映像＋Ａが編集した映像＋Ｂが編集した映像よりは少ない蓄積量になるからである。
また、編集したコンテンツを再度提示するときは、もとのコンテンツと編集情報を組み合わせて、編集されたコンテンツを再構成して提示するということになる。そして、編集されたコンテンツを再構成して提示する場合には、顧客に対する課金は、コンテンツの価格の他に、編集情報の蓄積量に応じてなされることとなる。
【００２７】
上記本発明の第２の実施の形態によれば、第１の実施の形態に加えて、編集を可能にして、編集情報をデータベースサーバー３のデータベース３ｂに蓄積することによって、各顧客の編集情報に応じたコンテンツを少ない蓄積量で保持することができる。また、各顧客は自分のオリジナルのコンテンツを持つことができ、いつでも参照することができる。
【００２８】
以上説明したように、上記の第１の実施の形態及び第２の実施の形態では、コンテンツメーカーが作成したコンテンツはコンテンツ管理・課金・集金サーバー５のコンテンツ記憶装置５ａに格納され、ウエブサーバー２がコンテンツ管理・課金・集金サーバー５のコンテンツ記憶装置５ａから取り出すようにしているが、ウエブサーバー２の記憶装置２ａにコンテンツを格納しておいてもよく、コンテンツの置き場所には特にこだわるものではない。
【００２９】
【発明の効果】
以上のように、本発明によれば、顧客端末でウエブサイト上に提示されたコンテンツを参照して顧客の属性情報又はコメント情報をウエブサーバーに送付すると、該ウエブサーバーは属性情報又はコメント情報をメーカー端末とデータベースサーバーに送付すると共に、顧客の属性情報又はコメント情報に対する情報提供料を設定してコンテンツ管理・課金・集金サーバーに送付し、該コンテンツ管理・課金・集金サーバーが顧客端末に該コンテンツの利用料から情報提供料を引いた課金情報を通知し、該顧客端末が課金支払通知を前記前記コンテンツ管理・課金・集金サーバーに通知するようにしたので、コンテンツメーカーからコンテンツが供給され、顧客をそれを参照して対価を支払うといった一方向のサービスばかりでなく、顧客からの属性情報やコンテンツに対する感想・意見等のコメント情報をコンテンツメーカーの方に返すという逆のサービスの流れも存在して、自在なコンテンツ流通を実現することができ、コンテンツの双方向の流通が促進されるという効果がある。
【図面の簡単な説明】
【図１】本発明の実施の形態１のコンテンツ流通システムの概略構成を示すブロック図である。
【図２】顧客がコンテンツを参照する場合のフローチャートである。
【図３】コンテンツ流通システムの顧客がコンテンツを参照して集金に至る場合のフローチャートである。
【図４】本発明の実施の形態２のコンテンツ流通システムの概略構成を示すブロック図である。
【符号の説明】
１  メーカー端末、２  ウエブサーバー、３  データベースサーバー、３ａ  顧客データベース、４  顧客端末、５  コンテンツ管理・課金・集金サーバー、５ａ  コンテンツ記憶装置、５ｂ  課金情報記憶装置、６  金融機関端末、７  インターネット（情報伝達網）。
【図１】
2004252575.tif 000003
【図２】
2004252575.tif 000004
【図３】
2004252575.tif 000005
【図４】
2004252575.tif 000006